(57)【要約】イーブックを備える（２００）。イーブックはメモリ装置（２３０）、コマンド認識モジュール（２１０）、及びプロセッサ（２４０）を有する。メモリ装置はファイルを記憶する。該ファイルはテキストを有する。該コマンド認識モジュールは発声コマンドを認識する。該プロセッサは該発声コマンドを実施する。
2005525603.tif 000002
【特許請求の範囲】
【請求項１】
イーブックであって：
ファイルを記憶するメモリ装置；
を有し、該ファイルがテキストを有し；
更に、発声コマンドを認識するコマンド認識モジュール；及び
該発声コマンドを実施するプロセッサ；
を有することを特徴とするイーブック。
【請求項２】
請求項１記載のイーブックであって、更に：
音声を認識し、該音声からユーザ同一性を識別する音声認識モジュール；
を有することを特徴とするイーブック。
【請求項３】
請求項２記載のイーブックであって、該音声認識モジュールが該ファイルに対するアクセスをユーザ同一性に基づいて制限することを特徴とするイーブック。
【請求項４】
請求項２記載のイーブックであって、該メモリ装置が該コマンド認識モジュールによって認識された該発声コマンドの少なくともいくつかを、該発声コマンドの該少なくともいくつかの１つ又は複数の発声者に関連して、記録することを特徴とするイーブック。
【請求項５】
請求項４記載のイーブックであって、該メモリ装置によって記録される該発声コマンドの該少なくともいくつかが該音声認識モジュールによって後の音声認識セッションにおいて用いられることを特徴とするイーブック。
【請求項６】
請求項１記載のイーブックであって、該コマンド認識モジュールは更に、該ファイルに相当する発声メモを認識し、該メモリ装置が該発声メモを記憶することを特徴とするイーブック。
【請求項７】
請求項１記載のイーブックであって、更に：
音声を合成する音声合成（ＴＴＳ）モジュール；
を有し、該音声がイーブック動作の制御に相当する質問を有し、該コマンド認識モジュールが更に、該質問に対する発声応答を認識することを特徴とするイーブック。
【請求項８】
請求項１記載のイーブックであって、該コマンド認識モジュールが１つ又は複数の音声メニューで、該発声コマンドの１つ又は複数を有するもの、を利用することを特徴とするイーブック。
【請求項９】
請求項８記載のイーブックであって、該１つ又は複数の音声メニューが有する該１つ又は複数の発声コマンド各々は相当する記述ストリング及び相当するコマンドＩＤに関連することを特徴とするイーブック。
【請求項１０】
請求項１記載のイーブックであって、更に：
音声を受信するマイクロフォン；
を有し、該音声が該発声コマンドを有することを特徴とするイーブック。
【請求項１１】
請求項１記載のイーブックであって、更に：
該テキストを表示するディスプレイ；
を有することを特徴とするイーブック。
【請求項１２】
イーブックを制御する方法であって：
該イーブックの１つ又は複数のユーザからの発声コマンドを受信する工程；
該発声コマンドを認識する工程；及び
該イーブックを該発声コマンドに基づいて制御する工程；
を有することを特徴とする方法。
【請求項１３】
請求項１２記載の方法であって、更に：
該１つ又は複数のユーザの音声を認識する工程；及び
該１つ又は複数のユーザのユーザ同一性を該音声から識別する工程；
を有することを特徴とする方法。
【請求項１４】
請求項１３記載の方法であって、更に：
該少なくとも１つのファイルに対するアクセスをユーザ同一性に基づいて制限する工程；
を特徴とする方法。
【請求項１５】
請求項１３記載の方法であって、更に：
該発声コマンドの少なくともいくつかを、該発声コマンドの該少なくともいくつかの１つ又は複数の発声者に関連して、記録する工程；
を有することを特徴とする方法。
【請求項１６】
請求項１３記載の方法であって、更に：
後の音声認識セッションにおいて、該発声コマンドの該少なくともいくつかで、記録されたもの、を利用する工程；
を有することを特徴とする方法。
【請求項１７】
請求項１２記載の方法であって、更に：
少なくとも１つのファイルを該イーブックに記憶する工程；
を有し、該少なくとも１つのファイルがテキストを有し；
更に、該少なくとも１つのファイルに相当する発声メモを認識する工程；及び
該発声メモを記憶する工程；
を有することを特徴とする方法。
【請求項１８】
請求項１２記載の方法であって、該イーブックが：
音声を合成する音声合成（ＴＴＳ）モジュール；
を有し；
更に、イーブック動作の制御に相当する質問を合成する工程；
該質問に対する発声応答を認識する工程；及び
該発声応答に応じる工程；
を有することを特徴とする方法。
【請求項１９】
請求項１２記載の方法であって、更に：
１つ又は複数の音声メニューで、該発声コマンドの１つ又は複数を有するもの、を生成する工程；
を有することを特徴とする方法。
【請求項２０】
請求項１２記載の方法であって、更に：
該１つ又は複数の音声メニューが有する該１つ又は複数の発声コマンド各々を相当する記述ストリング及び相当するコマンドＩＤに関連させる工程；
を有することを特徴とする方法。
【請求項２１】
ハンドヘルド装置であって：
ファイルを記憶するメモリ装置；
を有し、該ファイルがテキストを有し；
更に、発声コマンドを認識するコマンド認識モジュール；及び
該発声コマンドを実施するプロセッサ；
を有することを特徴とするハンドヘルド装置。
【請求項２２】
請求項２１記載のハンドヘルド装置であって、更に：
音声を認識し、該音声からユーザ同一性を識別する音声認識モジュール；
を有することを特徴とするハンドヘルド装置。
【請求項２３】
請求項２２記載のハンドヘルド装置であって、該音声認識モジュールが該ファイルに対するアクセスをユーザ同一性に基づいて制限することを特徴とするハンドヘルド装置。
【請求項２４】
請求項２２記載のハンドヘルド装置であって、該メモリ装置が該コマンド認識モジュールによって認識された該発声コマンドの少なくとも一部を、該発声コマンドの該少なくともいくつかの１つ又は複数の発声者に関連させて、記録することを特徴とするハンドヘルド装置。
【請求項２５】
請求項２４記載のハンドヘルド装置であって、該メモリ装置によって記録される該発声コマンドの該少なくともいくつかが該音声認識モジュールによって後の音声認識セッションにおいて用いられることを特徴とするハンドヘルド装置。
【請求項２６】
請求項２１記載のハンドヘルド装置であって、更に：
音声を合成する音声合成（ＴＴＳ）モジュール；
を有し、該音声がイーブック動作の制御に相当する質問を有し；
該コマンド認識モジュールが更に、該質問に対する発声応答を認識することを特徴とするハンドヘルド装置。
【発明の詳細な説明】
【技術分野】
【０００１】
本発明は、一般的に、ハンドヘルド装置に関し、特に、ハンドヘルド装置用音声コマンド及び音声認識に関する。
【背景技術】
【０００２】
（「イーブック（Ｅｂｏｏｋ）」とも呼ばれる）電子ブックは、従来の印刷本（又は、例えば、雑誌、新聞、など、のような別の印刷物）の電子版で、パーソナル・コンピュータを用いるか、イーブック・リーダを用いて読むことが可能であるもの、である。ＰＣ又はハンドヘルド型コンピュータと違って、イーブック・リーダは従来の紙の本に匹敵する読書体験を提供する一方、メモ取り、高速ナビゲーション、及びキー・ワード検索用の強力な電子機能を付加するものである。しかしながら、そのような動作は、それらがＰＣ、ハンドヘルド・コンピュータ、又はイーブック・リーダ上で行われるか否かにかかわらず、一般に、ユーザがボタンを起動するかリモコンを用いることを要する。したがって、イーブックの利用は一般に、ユーザが自らの片手又は両手を用いることを要する。更に、何らかのハンドヘルド装置を用いることは、ユーザが自らの片手又は両手を用いることを要する。
【発明の開示】
【発明が解決しようとする課題】
【０００３】
したがって、例えば、イーブックのようなハンドヘルド装置で、ハンズフリー動作を可能にするもの、を有することが望ましく、大いに効果的であるものである。
【課題を解決するための手段】
【０００４】
上記課題、更には先行技術の別の関連課題は、本発明で、コマンド認識並びに音声認識を有するハンドヘルド装置、及びコマンド認識並びに音声認識を用いるハンドヘルド装置を制御する方法であるもの、によって解決される。音声コマンドは、ユーザがボタン又はリモコンを用いることによるのではなく、単に、オーディオ入力装置を通じてコマンドを発声することによって、ハンドヘルド装置を制御することを可能にする。音声認識によって、個々のユーザ動作の追跡と、ユーザ同一性に基づいた、ハンドヘルド装置のリソース並びに機能の管理及び割り当てとが可能になる。したがって、コマンド認識及び音声認識を用いることによって効果的に、ユーザがハンドヘルド装置動作のハンズフリー制御を行えるようにする。
【０００５】
本発明の特徴によれば、イーブックが備えられる。該イーブックはメモリ装置、コマンド認識モジュール、及びプロセッサを有する。メモリ装置はファイルを記憶する。該ファイルはテキストを有する。コマンド認識モジュールは発声コマンドを認識する。該プロセッサは該発声コマンドを実現する。
【０００６】
本発明の別の特徴によれば、イーブックを制御する方法を備える。発声コマンドが１つ又は複数の、イーブックのユーザから受信される。発声コマンドが認識される。イーブックは該発声コマンドに基づいて制御される。
【発明を実施するための最良の形態】
【０００７】
本発明のこれら及び別の特徴、構成及び効果は好適実施例の以下の詳細説明から明らかになるものであり、該詳細説明は添付図面に関して検討されるものとする。
【実施例】
【０００８】
本発明はコマンド認識並びに音声認識を有するハンドヘルド装置に関し、更に、コマンド認識並びに音声認識を用いてハンドヘルド装置を制御する方法に関する。本発明は、電子ブック（イーブック）、携帯情報端末（ＰＤＡ）などを有するが、それらに限定されるものでない、如何なる種類のハンドヘルド装置にも関することが分かる。しかしながら、本発明を説明する目的で、以下の説明をイーブックについて備える。
【０００９】
音声コマンドは、ユーザがイーブックを、ボタン又はリモコンを用いることによるものではなく、オーディオ入力装置を通じてコマンドを発声し、それによってユーザにイーブック動作のハンズフリー制御をもたらすことによって、制御することを可能にする。更に、コマンド認識及び音声認識に加えて音声合成（ＴＴＳ）を実施することによってユーザがディスプレイを見ることが望ましくないイーブック・アプリケーション（例えば、運転中）に対する非常に有用なツールを備える。
【００１０】
本発明はハードウェア、ソフトウェア、ファームウェア、特殊用途向プロセッサ、又はそれらの組み合わせの種々の形態で実施し得るものとする。好ましくは、本発明はハードウェアとソフトウェアとの組み合わせとして実施される。更に、ソフトウェアは好ましくは、プログラム記憶装置上に具体的に実施されたアプリケーション・プログラムとして実施される。アプリケーション・プログラムは如何なる適切なアーキテクチャを有するマシンにもアップロードし得るものであり、該マシンによって実行し得る。好ましくは、マシンは１つ又は複数の中央処理装置（ＣＰＵ）、ランダム・アクセス・メモリ（ＲＡＭ）、及び入出力（Ｉ／Ｏ）インタフェースのようなハードウェアを有するコンピュータ・プラットフォーム上で実施される。コンピュータ・プラットフォームは更に、オペレーティング・システム及びマイクロ命令コードを有する。本明細書及び特許請求の範囲記載の種々の処理及び機能は、マイクロ命令コードの一部か、アプリケーション・プログラムの一部か（それらの組み合わせか）の何れかで、オペレーティング・システムを介して実行されるもの、であり得る。更に、種々の別の端末装置を別のデータ記憶装置及び印刷装置のようなコンピュータ・プラットフォームに接続し得る。
【００１１】
添付図面において表す構成システム部分及び方法工程の一部は好ましくはソフトウェアで実施し得るので、システム部分（又は処理工程）間の実際の接続は本発明がプログラム化される方法によってかわってくることがあり得る。本明細書及び特許請求の範囲の開示内容によって、当業者は本発明のこれら及び同様な実施又は構成を企図することができるものである。
【００１２】
図１は、本発明の例示的実施例によって、本発明を適用し得るコンピュータ・システム１００を示すブロック図である。コンピュータ処理システム１００は動作するよう、システム・バス１０４を介して別の構成部分に結合された少なくとも１つのプロセッサ（ＣＰＵ）１０２を有する。読み取り専用メモリ（ＲＯＭ）１０６、ランダム・アクセス・メモリ（ＲＡＭ）１０８、表示アダプタ１１０、Ｉ／Ｏアダプタ１１２、及びユーザ・インタフェース・アダプタ１１４が動作するよう、システム・バス１０４に結合される。
【００１３】
表示装置１１６は動作するよう、システム・バス１０４に表示アダプタ１１０によって結合される。ディスク記憶装置（例えば、磁気又は光ディスク記憶装置）１１８は動作するようシステム・バス１０４にＩ／Ｏアダプタ１１２によって結合される。
【００１４】
マウス１２０及びキーボード１２２は動作するようシステム・バス１０４にユーザ・インタフェース・アダプタ１１４によって結合される。マウス１２０及びキーボード１２２はシステム１００に情報を入力し、該システム１００から情報を出力する。
【００１５】
コンピュータ・システム１００は更に、音声コマンド認識モジュール１９２、音声認識モジュール１９３、音声合成（ＴＴＳ）モジュール１９４、マイクロフォン１９５、及びスピーカ１９６を有する。
【００１６】
図２は、本発明の例示的実施例による、イーブック２００、を示すブロック図である。イーブック２００はバス２０１によって相互接続される以下：コマンド認識モジュール２１０；音声認識モジュール２２０；少なくとも１つのメモリ装置（以下「メモリ装置」２３０）；少なくとも１つのプロセッサ（以下「プロセッサ」２４０）；任意の非音声ユーザ入力装置２５０（例えば、キーボード、キーパッド、若しくは／又はリモコン）；ディスプレイ２６０；音声合成（ＴＴＳ）モジュール２７０；マイクロフォン２８０；及びスピーカ２９０；の構成要素を有する。本明細書及び特許請求の範囲記載の本発明の開示内容によって、当業者は、コンピュータ・システム１００及びイーブック２００のこれら及び種々の別の構成で、各々図１及び２に表すもの、を、本発明の趣旨及び範囲を維持しながら、企図するものである。本明細書及び特許請求の範囲の原文において用いる「Ｅｂｏｏｋ」の語はスタンドアロン型イーブック装置（例えば、イーブック２００）又はコンピュータ・システム（例えば、コンピュータ・システム１００）が有するイーブックを表すものとする。
【００１７】
図３は本発明の例示的実施例による、コマンド認識及び音声認識を有するイーブックを制御する方法を示す流れ図である。
【００１８】
１つ又は複数のファイルがイーブックに記憶される（工程３０１）。該１つ又は複数のファイルは、少なくとも、テキストを有し、更に、グラフィックスを有し得る。
【００１９】
発声コマンドはイーブックの１つ又は複数のユーザ（以下「ユーザ」）から受信される（工程３０２）。発声コマンドは認識される（工程３０４）。選択的に、ユーザの同一性を発声コマンド及び／又は別個の同一性主張からの音声によって識別し得る（工程３０６）。
【００２０】
工程３１０では、セキュリティ動作をイーブック上でコマンド認識及び／又は音声認識を用いて実施し得る。例えば、工程３１０はユーザ同一性に基づいて特定物（例えば、特定ファイル）及び／又はイーブック機能に対するアクセスを、制限する／可能にする工程（工程３１０ｂ）を有し得る。
【００２１】
工程３２０では、監視動作をイーブック上でコマンド認識及び／又は音声認識を用いて実施し得る。例えば、工程３２０は全ての発声コマンドの記録を維持する工程（工程３２０ａ）を有し得る。更に、工程３２０は該記録における発声コマンド各々を、該イーブックの１つ又は複数のユーザで、それらの音声によって識別されたもの、と関連させる工程（工程３２０ｂ）を有し得る。該記録コマンドは後の認識セッションに、特に強いアクセントを有して発声されるコマンドを解読するのに、用いられ得る。
【００２２】
工程３３０では、制御動作がイーブック上で、コマンド認識及び／又は音声認識を用いることによって、実施し得る。例えば、工程３３０は、サーチ、スキップ、音量調節、などのようなイーブック読み取り動作を制御する工程（工程３３０ａ）を有し得る。前述の動作一覧は単に、例示的なものであり、したがって、別の動作も制御し得る。例えば、別の動作は、特定の読み物（例えば、本、雑誌、新聞など）を通してナビゲートする動作、該読み物の少なくとも一部分を読み取るか該一部分に相当する音声を合成する動作、該読み物を注釈する動作などを有する。したがって、ユーザは、「章をスキップする」などの、単純なコマンドをイーブックに対して備えることが可能であり、イーブック動作を制御するよう、単純な、はい又はいいえで回答する質問に回答し得る。複雑なコマンド及び／又は質問は更に、容易に、本発明の趣旨及び範囲を維持する一方で、本明細書及び特許請求の範囲が備える本発明の開示内容によって、実施し得る。本明細書及び特許請求の範囲の原文においてイーブックを制御することに関して用いられる「ｃｏｎｔｒｏｌ」の語は工程３１０乃至３３０の何れをも包含し得る。
【００２３】
更に、本発明の一例示的実施例によれば、工程３３０を（又は、さらに詳しく言えば、如何なる別の工程をも）、音声メニューを用いて実施し得る。すなわち、動作的にリモコンと同様に、本発明は、コマンドの「メニュー」で、ユーザが発声し得るもの、を備えるよう構成し得る。基本的に、音声コマンドを用いるよう、本発明によるイーブックは音声メニューで、特定のイーブック・アプリケーションにおける、リモコンすなわち、１つ若しくは複数の状態、に相当する音声メニューを備える。ユーザが発声し得る音声コマンドの一覧は各音声メニューが有し得る。ユーザが特定のコマンドを発声する場合、該アプリケーションは、どのコマンドが発声されたかが通知される。例えば、「章をスキップする」、「音量を上げるよう調節する」、及び「速い速度で読み取る」は通常の音声コマンドで、音声合成（Ｔｅｘｔ  Ｔｏ  Ｓｐｅｅｃｈ（ＴＴＳ））がインストールされた拡張イーブックに用い得るもの、である。各音声コマンドは、発声コマンドに加えた情報で、記述ストリング及びコマンドＩＤのようなもの、を有し得る。
【００２４】
工程３１０乃至３３０はハンズフリーのイーブック動作を備えるよう如何なる配列及び如何なる組み合わせにおいても行い得る。そのようなハンズフリーのイーブック動作を、例えば、医療手順中、マシン・ショップ仕様検索、調理中（例えば、メニューの読み取り）、運転、など、のような特定の状況下でテキスト・ファイルをアクセスするのに備え得る。更に、そのようなハンズフリーのイーブック動作を、メモ取りを、特に教育アプリケーションにおいて、行うのに備え得る（工程３３０ｂ）。更に、そのようなハンズフリーのイーブック動作はイーブック上に（ブックマークと同様な）マークをＴＴＳによって、該マークが該イーブックの読み取りを後に再開する点の役割を果たすように、生成するよう備え得る（工程３３０ｃ）。
【００２５】
例示的実施例は、添付図面を参照して本明細書及び特許請求の範囲において記載したが、本発明は厳密にこれらの実施例に限定されるものでなく、種々の別の変更及び修正をそれら実施例において当業者によって、本発明の範囲又は趣旨から逸脱することなく、反映し得るものとする。そのような変更及び修正は全て、本特許請求の範囲によって規定される本発明の範囲内に有することを意図するものである。
【図面の簡単な説明】
【００２６】
【図１】本発明の例示的実施例による、本発明を適用し得るコンピュータ・システム１００を示すブロック図である。
【図２】本発明の例示的実施例による、イーブック２００を示すブロック図である。
【図３】本発明の例示的実施例による、コマンド認識及び音声認識を有するイーブックを制御する方法を示す流れ図である。
【図１】
2005525603.tif 000003
【図２】
2005525603.tif 000004
【図３】
2005525603.tif 000005
【国際調査報告】
2005525603.tif 000006